(57)【要約】【課題】従来の給仕用盆では、お盆に載せた食器類は、その運搬時において食器等が滑るとお椀やコップ等の食器から内容物がこぼれ、或いは落下し、破損してしまうという課題があった。内容物の入った重い食器類を安全かつ迅速に運搬することができる給仕用盆を提供することを目的とする。【解決手段】料理皿と飲料カップとを載せる平面を有する盆１ａであって、前記料理皿１０と飲料カップ９を載せない平面に、手を固定するためのバンド３ａを固定具２により設置し、又は前記盆に形成された打ち出し７、８により設置し、更に該バンドの断面形状が矩形又は円形であることを特徴とする給仕用盆。【選択図】図１
2008289648.tif 000002
【特許請求の範囲】
【請求項１】
料理皿と飲料カップとを載せる平面を有する盆であって、
前記料理皿と飲料カップを載せない平面に、手を固定するためのバンドを有することを特徴とする給仕用盆。
【請求項２】
前記手を固定するためのバンドが、固定具により前記料理皿と飲料カップを載せない平面に設置されていることを特徴とする請求項１記載の給仕用盆。
【請求項３】
前記手を固定するためのバンドが、その両端に突起を有することを特徴とする請求項２記載の給仕用盆。
【請求項４】
前記手を固定するためのバンドの断面形状が、矩形又は円形であることを特徴とする請求項２又は請求項３記載の給仕用盆。
【請求項５】
前記手を固定するためのバンドの中央部が、湾曲していることを特徴とする請求項１乃至４いずれか記載の給仕用盆。
【請求項６】
前記料理皿と飲料カップを載せない平面のうち、前記手を固定するためのバンドと対向する部分が凹形状であることを特徴とする請求項１乃至５いずれか記載の給仕用盆。
【請求項７】
前記料理皿と飲料カップを載せる平面を有する盆が、前記料理皿と飲料カップを載せない側に突起した打ち出し部を有し、
前記手を固定するためのバンドが該打ち出し部により、前記盆に設置されることを特徴とする請求項１乃至６いずれか記載の給仕用盆。
【請求項８】
前記手を固定するためのバンドが、前記料理皿と飲料カップを載せない平面の中央に設置され、
該バンドが、前記手の中指と薬指で握られることを特徴とする請求項１乃至７いずれか記載の給仕用盆。
【発明の詳細な説明】
【技術分野】
【０００１】
本発明は、料理皿やカップ等を載せ、運ぶ際に使用する給仕用盆に関する。
【背景技術】
【０００２】
食堂、レストラン等では、食品を入れたお椀や飲み物を入れたコップ等の食器類を食卓まで運ぶ際に給仕用のお盆が一般的に使用されている。図１４に一般的なお盆を使用する際の持ち方を示す。この持ち方は、中間の指を２本曲げて親指、人差し指及び小指でお盆を支持するものである。このようにしてお盆を支持することで、手のひらにお盆を載せた場合より、手首への負担を軽減しつつ食器等を運搬することができる。
【０００３】
このようなお盆の使用方法では、当然のことながらお盆に載せた食器類は、その運搬時において、食器等が滑るとお椀やコップ等の食器から内容物がこぼれたり、或いは落下し、破損してしまうことがあった。そのため、滑りにくいお盆への要求が常にある。
【０００４】
このような問題点を改善するために、例えば特許文献１には図１５、図１６に示すような食器受け盆が開示されている。以下に、この食器受け盆について説明する。
【０００５】
図１５に示したように、この食器受け盆は、料理皿１０と飲料カップ９を載置する平面を有すると共に、指通し穴を穿設した盆１１本体からなることを特徴とする食器受け盆である。この食器受け盆は、指通し穴に親指を通し、他の指で盆本体の裏面を支えた食器受け盆に、料理皿及び飲料カップをのせて運搬すれば、非常に安定的に食器等を運搬することが可能となる。
【０００６】
また、図１６に示したように、図１５の食器受け盆において、皿とコップを載せる位置の面をくぼませ、更にその凹部に滑り止め１２、１３を設けることによってより安定的に食器類を運搬することが可能となる。
【特許文献１】特開２００２−４３０号公報
【発明の開示】
【発明が解決しようとする課題】
【０００７】
しかし、上記のような食器受け盆においては、安定的に食器類を運搬できるものの、お盆に設けられた穴に親指を挿入しつつお盆を支持するためそれ程大きなお盆とすることができない。そのため、運搬しようとする食器類の大きさも比較的小さなものとなり、重量も限定される。また、穴を設けるため、その穴に汚れがたまる等の問題もある。
【０００８】
本発明は、上記の課題を解決するためになされたもので、内容物の入った重い食器類を安全かつ迅速に運搬することができる給仕用盆を提供することを目的とする。
【課題を解決するための手段】
【０００９】
本発明は、上述の目的を達成するため、以下（１）〜（８）の構成を備えるものである。
【００１０】
（１）料理皿と飲料カップとを載せる平面を有する盆であって、前記料理皿と飲料カップを載せない平面に、手を固定するためのバンドを有することを特徴とする給仕用盆。
【００１１】
（２）前記手を固定するためのバンドが、固定具により前記料理皿と飲料カップを載せない平面に設置されていることを特徴とする前記（１）記載の給仕用盆。
【００１２】
（３）前記手を固定するためのバンドが、その両端に突起を有することを特徴とする前記（２）記載の給仕用盆。
【００１３】
（４）前記手を固定するためのバンドの断面形状が、矩形又は円形であることを特徴とする前記（２）又は（３）記載の給仕用盆。
【００１４】
（５）前記手を固定するためのバンドの中央部が、湾曲していることを特徴とする前記（１）乃至（４）いずれか記載の給仕用盆。
【００１５】
（６）前記料理皿と飲料カップを載せない平面のうち、前記手を固定するためのバンドと対向する部分が凹形状であることを特徴とする前記（１）乃至（５）いずれか記載の給仕用盆。
【００１６】
（７）前記料理皿と飲料カップを載せる平面を有する盆が、前記料理皿と飲料カップを載せない側に突起した打ち出し部を有し、前記手を固定するためのバンドが該打ち出し部により、前記盆に設置されることを特徴とする前記（１）乃至（６）いずれか記載の給仕用盆。
【００１７】
（８）前記手を固定するためのバンドが、前記料理皿と飲料カップを載せない平面の中央に設置され、該バンドが、前記手の中指と薬指で握られることを特徴とする前記（１）乃至（７）いずれか記載の給仕用盆。
【発明の効果】
【００１８】
本発明は、上記構成を有することで、内容物の入った重い食器類を安全かつ迅速に運搬することができる給仕用盆を提供することができる。
【発明を実施するための最良の形態】
【００１９】
以下に、本発明を実施するための最良の形態を、実施例により詳しく説明する。
【実施例１】
【００２０】
図１に実施例に係る給仕用盆の外観図を示す。
【００２１】
１ａは、従来から一般的に使用される盆であり、２はバンド３ａを盆１ａの裏側に取り付けるための固定具である。この固定具は盆１ａに固着されているものとする。固着の方法は、スポット溶接や接着等のいずれの方法であってもよい。バンド３ａは本給仕用盆を使用する際に手を挿入し、給仕用盆と手を接合するためのバンドである。このバンド３ａの寸法Ｌ２は、２個の固定具間の間隔Ｌ１よりも長いものとし、且つその両側の先端部には突起Ａを有しているものとする。
【００２２】
本実施例の給仕用盆に手を挿入した状態を、図４に示す。この図から分かるように手６は、盆１ａとバンド３ａの間に挿入され、手のひらに盆がしっかりと固定されることになる。また、バンド３ａはその中央部で図の下方に湾曲することになるが、２個の固定具により、バンド３ａの両端の突起Ａが突き当たることになり、確実に手６が盆１ａに密着されることとなる。
【００２３】
本実施例の給仕用盆を使用して、コップや皿を運ぶ状態を図５に示す。この図から、本給仕用盆を使用すれば載せるコップ、皿等の量が多く重い状態になった場合でも、安全かつ確実に運搬することができる。
【００２４】
図２は、上記図１のバンド３ａをバンド３ｂに替えた給仕用盆を示す図である。バンド３ｂは、バンド３ａの中央部をあらかじめ湾曲させた形状としたものであり、このような形状とすることでバンド３ａの場合よりも容易に手を挿入することができる。
【００２５】
更に図３は、バンド３ａを使用し、盆のバンド３ａと対向する面を所定量だけ窪ませた給仕用盆を示したものである。このような凹部２０を有することで、バンドが湾曲部を有さない場合であっても容易に手を挿入することができる。
【実施例２】
【００２６】
図６〜図８に、本実施例の実施形態を示す。本実施例は、実施例１のバンドと固定具を変えた場合の実施形態である。
【００２７】
図６のように、バンド５ａはその断面形状が円形であり、更に固定具４もその断面が略半円形状を有している。バンドと固定具をこれらの形状とすることで手がバンドと盆の間に挿入し易くなるという効果が得られる。なお、バンド５ａの両端部は、円盤状のフランジ形状であるものとする。この部分は、実施例１の場合と同様、手を挿入した場合に固定具の外側の面に突き当たることになる。
【００２８】
図７と図８に示す給仕用盆は、それぞれ実施例１の図２と図３の給仕用盆に対応するものであり、手の挿入をより容易にしたものである。なお、実施例２の給仕用盆に手を挿入した状態を図９に示す。
【実施例３】
【００２９】
本実施例は、実施例１と実施例２の給仕用盆で使用した固定具を使用しない場合の実施形態である。
【００３０】
固定具を使用しない代わりに、図１０と図１１に示したように、盆に打ち出し７、８を設けるものとする。この打ち出しによって形成された穴部に、実施例１及び実施例２の給仕用盆で使用したバンド３ａ、３ｂ、５ａ及び５ｂを挿入するものとする。これらバンドは、その両端部に突起部を有しているため、そのままではこれら打ち出し部に挿入することはできないが、一方の突起部を別部品としておき、バンドを打ち出し部に挿入した後に溶着、接着等で接合するものとする。
【００３１】
このように、給仕用盆を構成することで固定具を使用せず、盆とバンドのみで給仕用盆を構成することができる。
【実施例４】
【００３２】
本実施例は、上記実施例とは異なり、バンド及び固定具を盆の中央部に設置した給仕用盆に関するものであり、図１２と図１３にその概要を示す。
【００３３】
図１２に、その給仕用盆の一例を示す。実施例１の給仕用盆と基本構造は同一であるものの、バンド等の設置場所が実施例１のように盆の中心部から離れておらず、ほぼ盆の中央部に設置されている。また、そのバンドの長さは実施例１等のバンドよりは短く、中指と薬指が共に入る程度の長さであるものとする。
【００３４】
本実施例の給仕用盆の使用状態を、図１３に示す。図に示されているように、中指と薬指が実施例１等とは異なりバンドを掴み、盆は親指、人差し指及び小指で支持される。
【００３５】
このように給仕用盆を構成し使用することで、より少ないスペースにバンドを取り付けることができ、また使用者の手首に大きな負荷をかけない給仕用盆を提供することができる。
【図面の簡単な説明】
【００３６】
【図１】本実施例１の給仕用盆を示す図
【図２】本実施例１の湾曲したバンドを有する給仕用盆を示す図
【図３】本実施例１の凹部のある盆を有する給仕用盆を示す図
【図４】本実施例１の給仕用盆に手を挿入した状態を示す図
【図５】本実施例１の給仕用盆の使用状態を示す図
【図６】本実施例２の給仕用盆を示す図
【図７】本実施例２の湾曲したバンドを有する給仕用盆を示す図
【図８】本実施例２の凹部のある盆を有する給仕用盆を示す図
【図９】本実施例２の給仕用盆に手を挿入した状態を示す図
【図１０】本実施例３の給仕用盆の盆自体を示す図
【図１１】本実施例３の別の給仕用盆の盆自体を示す図
【図１２】本実施例４の給仕用盆を示す図
【図１３】本実施例４の給仕用盆の使用状態を示す図
【図１４】従来の給仕用盆の使用状態を示す図
【図１５】特許文献１の食器受け盆を示す図
【図１６】特許文献１の滑り止めの付いた食器受け盆を示す図
【符号の説明】
【００３７】
１ａ，１ｂ，１ｃ，１ｄ    盆
２    固定具
３ａ，３ｂ    バンド
４    固定具
５ａ，５ｂ    バンド
６    手
７    打ち出し
８    打ち出し
９    コップ
１０  皿
１１  食器受け盆
１２  滑り止め
１３  滑り止め
１４  従来の給仕用盆
２０  凹部
【図１】
2008289648.tif 000003
【図２】
2008289648.tif 000004
【図３】
2008289648.tif 000005
【図４】
2008289648.tif 000006
【図５】
2008289648.tif 000007
【図６】
2008289648.tif 000008
【図７】
2008289648.tif 000009
【図８】
2008289648.tif 000010
【図９】
2008289648.tif 000011
【図１０】
2008289648.tif 000012
【図１１】
2008289648.tif 000013
【図１２】
2008289648.tif 000014
【図１３】
2008289648.tif 000015
【図１４】
2008289648.tif 000016
【図１５】
2008289648.tif 000017
【図１６】
2008289648.tif 000018